(57)【要約】  容器開口部（９）を介して供給可能な媒体を収容する貯蔵部（５）を有する、アンプルの形態であるのが好ましい少なくとも１つの容器、特にブロー成形されたプラスチック容器のための安全装置は、容器開口部（９）が、予め定めることのできる抵抗を開放力に対して生じさせる第１の安全部（１１）によって閉鎖可能であり、第１の安全部（１１）と協働する第２の安全部（１５）を用いて、容器開口部（９）を開放するために、予め定めることのできる抵抗に打ち勝つことができることを特徴としている。
2009532287.tif 000002
【特許請求の範囲】
【請求項１】
容器開口部（９）を介して供給可能な媒体を収容する貯蔵部（５）を有し、アンプルの形態であるのが好ましい少なくとも１つの容器、特にブロー成形されたプラスチック容器のための安全装置において、
前記容器開口部（９）を第１の安全部（１１）を用いて密閉可能であり、該第１の安全部（１１）は、予め定めることのできる抵抗を開放力に対して生じさせ、前記第１の安全部（１１）と協働する第２の安全部（１５）を用いることによって、前記容器開口部（９）を開放するために前記予め定めることのできる抵抗に打ち勝つことができることを特徴とする安全装置。
【請求項２】
アンプルの形態の複数の前記容器からなるマルチブロック（１）にまとめられたユニットのために、前記各容器毎に専用の前記第２の安全部（１５）が設けられていることを特徴とする請求項１に記載の安全装置。
【請求項３】
前記各第２の安全部（１５）が、当該第２の安全部（１５）が対応づけられた前記容器に取り外し可能に取り付けられていることを特徴とする請求項２に記載の安全装置。
【請求項４】
前記第２の安全部（１５）が、当該第２の安全部（１５）が対応づけられた前記容器に一体的に形成されており、破断予定部（１７）を分離することによって取り外し可能であることを特徴とする請求項３に記載の安全装置。
【請求項５】
前記第１の安全部が、前記貯蔵部（５）のヘッド端部（７）の所に第２の破断予定部（１３）を形成しながら、前記容器開口部（９）に一体的に形成された閉鎖部（１１）であり、前記第２の破断予定部（１３）が、前記予め定めることのできる抵抗を前記開放力に対して生じさせることを特徴とする請求項４に記載の安全装置。
【請求項６】
前記第２の安全部が、前記貯蔵部（５）の、前記容器開口部（９）を有する前記ヘッド端部（７）の所で前記第１の破断予定部（１７）を介して前記ヘッド端部（７）および前記閉鎖部（１１）に一体的に形成されているヘッド部（１５）であることを特徴とする請求項５に記載の安全装置。
【請求項７】
前記第１の破断予定部（１７）が、前記ヘッド部（１５）の取り外しに対して抵抗を生じさせ、該抵抗が、前記第２の破断予定部（１３）が、前記容器開口部（９）から前記閉鎖部（１１）を取り外すのに対して生じさせる前記予め定めることのできる抵抗よりも小さいことを特徴とする請求項６に記載の安全装置。
【請求項８】
前記ヘッド部（１５）が、手動でつかむことのできる操作部（２７）と、作用面（３３）を備えた少なくとも１つの工具部（２９、３１）とを有し、前記作用面（３３）は、前記容器開口部（９）を開放するため、前記第２の破断予定部（１３）によって生じさせられる前記抵抗に打ち勝つために、前記閉鎖部（１１）の、前記作用面（３３）に対応する接触面と係合させることができることを特徴とする請求項７に記載の安全装置。
【請求項９】
前記閉鎖部（１１）を前記第２の破断予定部（１３）で前記容器開口部（９）から捻り取るために前記工具部（２９、３１）によって前記閉鎖部（１１）にトルクを作用させることができるように、前記閉鎖部（１１）が、前記工具部（２９、３１）の前記作用面（３３）のための前記接触面を形成するために、多角形状に延びているのが好ましい丸くない外壁を有していることを特徴とする請求項８に記載の安全装置。
【請求項１０】
前記ヘッド部（１５）が、前記貯蔵部（５）の外面（３）の延長線上を延び互いに反対側に位置する両側端縁（２１）と、該両側端縁（２１）を結ぶ終端縁（２３）を有する板状体であり、前記工具部（２９、３１）が、少なくとも１つの凹部（３１）を有しており、該凹部（３１）が、前記閉鎖部（１１）の、丸くないように延びている前記外壁に合わさる壁部分（３３）によって、前記閉鎖部（１１）を捻り取るための回転工具の前記作用面を形成していることを特徴とする請求項９に記載の安全装置。
【請求項１１】
前記閉鎖部（１１）が、全体として見て矩形の輪郭を有しており、前記板状体の、前記各工具部を形成する前記凹部（３１）の、前記作用面（３３）を形成する複数の前記壁部分が、互いに対して直角に延びていることを特徴とする請求項１０に記載の安全装置。
【請求項１２】
前記貯蔵部（５）の前記ヘッド端部（７）が、前記容器の経口使用のためのマウスピースを形成するために、互いに対向し互いに対称な凹状の対の面（３７）による先細り部を有しており、前記面（３７）の、前記先細り部の細くなっている側を形成する端部が、前記第１の破断予定部（１７）に隣接していることを特徴とする請求項５から１１のいずれか１項に記載の安全装置。
【発明の詳細な説明】
【技術分野】
【０００１】
本発明は、容器開口部を介して供給可能な媒体を収容する貯蔵部を有し、アンプルの形態であるのが好ましい少なくとも１つの容器、特にブロー成形されたプラスチック容器のための安全装置に関する。
【背景技術】
【０００２】
公知のように、容器のための安全装置は、媒体が容器から容易に供給されるのを、より正確に言うと、容器開口部を開放するための特殊な措置をとることを必要とせずに供給されるのを防止すべき場合に有用であり、あるいは不可欠でさえある。安全装置によって容器の中身の取り出しを困難にすることは、特に、容器内に危険な媒体が入っており、それに接触し、または口から摂取することが、少なくともあるグループの人、例えば子供にとって致命的な結果となる場合に、小児保護機能として必要である。
【０００３】
これは、例えば公知のボッテルパック（ｂｏｔｔｅｌｐａｃｋ：登録商標）法に従ってプラスチックから一体的に形成され、充填され、密閉された、アンプルの形態のブロー成形されたプラスチック容器に特に関係する。この種のアンプルは、治療を目的とする多様な液体を含んでおり、所定の人のみが使用するように意図されており、特に小児保護機能が必要である。
【発明の開示】
【発明が解決しようとする課題】
【０００４】
この問題に関して、本発明の課題は、供給可能な媒体を貯蔵部に収容する容器において、予め定められた操作手順に応じた、特に子供が実施することを自然には考えつかない所定の動作が実施された場合にのみ媒体の供給を可能にする安全装置を提供することである。
【課題を解決するための手段】
【０００５】
本発明によれば、この課題は、全体として請求項１の特徴を有する安全装置によって解決される。
【０００６】
それにより、本発明では、容器開口部の閉鎖体として第１の安全部が設けられており、その安全部が開放力に対して抵抗を生じさせ、その抵抗に、第１の安全部と協働する第２の安全部を用いて打ち勝つことができる。この場合、予め定めることのできる抵抗は、第２の安全部の助けなしではほとんど打ち勝つことができず、あるいは、いずれにしても子供が打ち勝つことはできないように選択することができる。それによって、安易な、すなわち不用意な開放が困難になり、特に、子供が、手引きなしで、容器開口部を開放するために必要な操作手順を実行できないことが保証される。
【０００７】
アンプルの形態の容器は、互いにつながり合った複数のアンプルからなる、いわゆる「マルチブロック」の形態で取り引きされることが多い。この構成は、前もってアンプルブロックから容器を分離することが必要であることにより、開放プロセスをさらに複雑にして、小児保護にさらに寄与する。
【０００８】
複数の容器からなるマルチブロックにまとめられたユニットでは、各容器のために専用の第２の安全部を設けることができる。あるいは、各マルチブロックに単一の第２の安全部を付属させることができ、その第２の安全部は、例えばマルチブロックに取り外し可能に取り付けることができ、またはマルチブロックに収容可能にすることができる。
【０００９】
各容器に専用の第２の安全部が付属させられている場合、これらの第２の安全部は、それが対応づけられた容器に取り外し可能に取り付けられているのが好ましい。
【００１０】
ブロー成形されたプラスチック容器では、第２の安全部が、それが対応づけられた容器に一体的に形成され、破断予定部を分離することによって取り外し可能である構成が好ましい。
【００１１】
第１の安全部が、貯蔵部のヘッド端部の所に第２の破断予定部を形成しながら容器開口部に一体的に形成された閉鎖部であり、予め定めることのできる抵抗が第２の破断予定部によって開放力に対して生じさせられる構成が好ましい。その場合、第２の安全部をヘッド部によって形成することができ、そのヘッド部は貯蔵部の、容器開口部を有するヘッド端部の所でこの貯蔵部と閉鎖部に第１の破断予定部を介して一体的に形成されているのが特に好ましい。その場合、第１と第２の安全部を有する安全装置が、例えばボッテルパック（登録商標）法に従って、容器を形成して充填する際に一体的に形成することができるユニットを形成しているのが好ましい。
【００１２】
その場合、第１の破断予定部が、ヘッド部を取り外すのに対して抵抗を生じさせ、その抵抗は、第２の破断予定部が、容器開口部から閉鎖部を取り外すのに対して生じさせる予め定めることのできる抵抗よりも小さい構成とすることができる。それにより、第１の破断予定部を分離することによってヘッド部を取り外すことにより容器を開放しようと試みても、この試み自体は子供が自然に考えつくものであるが、容器開口部が開放されることにはならないことになる。というのは、第１の破断予定部が、ヘッド部を取り外すのに対して生じさせる抵抗が比較的小さいことに基づいて、閉鎖部においては、第２の破断予定部が、閉鎖部を取り外すのに対して生じさせる予め定めることのできる抵抗に打ち勝つのに十分なほど大きな開放力が作用することにはならないからである。
【００１３】
したがって、開放プロセスのためには、第２の安全部を用いて、この例においては、容器から取り外されたヘッド部を用いて実行することができる第２のステップが必要である。
【００１４】
好ましい実施態様において、ヘッド部は、手動でつかむことができる操作部と、作用面を備えた少なくとも１つの工具部とを有しており、その作用面は、容器開口部を開放するため、第２の破断予定部によって生じさせられる抵抗に打ち勝つために、閉鎖部の、作用面に対応づけられた接触面と係合させることができる。
【００１５】
閉鎖部は、その外側に、多角形であるのが好ましい丸くない形状を有するのが好ましく、それにより、閉鎖部によって工具部の作用面のための接触面が形成され、その接触面によって工具部から閉鎖部へトルクを容易に伝達することが可能になり、その結果、閉鎖部を第２の破断予定部の所で容器開口部から捻り取ることができる。
【００１６】
特に好ましい実施態様において、ヘッド部は、貯蔵部の外面の延長線上を延び互いに反対側に位置する両側端縁とそれらを結ぶ終端縁とを有する板状体によって形成されており、板状体に、少なくとも１つの凹部が工具部として形成されており、その凹部の、閉鎖部の、丸くないように延びている外壁に合わさる壁部分が、閉鎖部を捻り取るための回転工具の作用面を形成している。
【００１７】
ヘッド部を形成する板状体を取り外した後に、貯蔵部のヘッド端部に、容器の経口使用のためのマウスピースが形成されるように構成することができ、その場合、マウスピースは、貯蔵部のヘッド端部を先細りにすることによって形成されており、その場合、先細り部は、互いに対向し互いに対称な凹状の対の面によって形成され、その面の、先細り部の細くなっている側を形成する端部が、第１の破断予定部に、したがってヘッド部を取り外した後に形成されるヘッド端部の終端縁に隣接している。
【発明を実施するための最良の形態】
【００１８】
以下、図面に示す実施形態を用いて、本発明の詳細を説明する。
【００１９】
以下、小児保護機能部の形態の安全装置によって、プラスチックからブロー成形されるアンプルの形態のプラスチック容器の開放プロセスが困難になっている実施形態を用いて本発明を説明する。この種のアンプルは、例えば、ボッテルパック（登録商標）法に従って一体的に形成可能であり、無菌充填可能であり、密閉可能である。この種のアンプルは、いわゆるマルチブロックにまとめて、複数のアンプルからなるユニットとして取り引きすることができる。図１と９では、分離部３でつながりあった６つのアンプルを有するマルチブロックが全体を符号１でそれぞれ示されている。各アンプルは、上方のヘッド端部７を備え実質的に円筒形状の貯蔵部５を有しており、ヘッド端部７は狭窄部を形成しながら容器開口部９へと延びており、容器開口部９は、一体的に形成された閉鎖部１１によって密閉されている。図５と１１から最もよくわかるように、閉鎖部１１は、ここでは一貫して「第２の破断予定部」と称する破断予定部１３を形成しながら各容器開口部９に形成されている。
【００２０】
アンプル全体の上方の終端部分として、ヘッド端部７の上側にヘッド部１５が、特に、ここでは一貫して「第１の破断予定部」と称する破断予定部１７を介して形成されている。この第１の破断予定部１７は、貯蔵部５のヘッド端部７の上面に沿って、かつ各閉鎖部１１の外面に沿って延びている。さらに、第１の破断予定部１７は、側方の端縁ウィング１９の終端縁に沿って延びており、端縁ウィング１９は、貯蔵部５の外側に設けられた分離部３の延長部を形成している。第２の破断予定部１３によって、容器開口部９と閉鎖部１１の間に抵抗力が生じさられており、第１の破断予定部１７は容易に分離可能に形成されている。したがって、該当するヘッド部１５が、第１の破断予定部１７を分離することによって取り外された時に、第２の破断予定部１３の抵抗力に基づいて、閉鎖部１１は容器開口部９上に残り、すなわちヘッド部１５の取り外しは、容器開口部９の開放をもたらさない。
【００２１】
各ヘッド部１５は、端縁ウィング１９の端縁の延長部を形成する側端縁２１と、それに対して直角に延びる終端縁２３とを備える板状体の形態を有している。図１から１１の実施形態において、ヘッド部１５は、部分的に、中空室２５を有する中空体として形成されているが、非中空体として形成することもできる。各ヘッド部１５は、平坦な操作部２７と工具部２９を有している。工具部２９の特徴は、それが本来の作動工具としてそれぞれ凹部３１を有している点である。図１、４、６および７を比較するとわかるように、凹部３１はヘッド部１５の様々な位置に設けることができる。同様に図から明らかであり、かつ図３、５および１１から最もよくわかるように、凹部３１は、互いに対して直角に延びる複数の作用面３３を有している。同様に図５と１１から明らかなように、閉鎖部１１は、実質的に矩形の輪郭を有している。したがって、第１の破断予定部１７の分離によって取り外されるヘッド部１５は、それを操作部２７の所でつかんで、工具部２９を凹部３１で閉鎖部１１上にかぶせた時に、回転工具として利用することができ、この際、作用面３３が、輪郭が矩形の閉鎖部１１の外側の接触面に接触し、それによってヘッド部１５を回転させた時に閉鎖部１１へトルクを伝達する働きをする。ヘッド部１５を相応に操作することによって、第２の破断予定部１３が、閉鎖部１１を捻って取るのに抗する抵抗に打ち勝つことができる。ヘッド部１５を取り外しただけでは、容器開口部９は開放されることにはならず、操作部２７を用いてヘッド部１５を操作することにより、凹部３１の作用面３３が閉鎖部１１の接触面と係合させられて、第２の破断予定部１３を捻り取るための回転運動が行われることによって第２の操作ステップが実行された場合に、開放プロセスが簡単かつ楽に行われる。
【００２２】
図９から１１は、プラスチック容器が、いわゆるドリンクアンプルとして形成されている実施形態を示している。他の例とは異なり、貯蔵部５はヘッド端部７の方向へ向かってやや円錐状に先細りになるように形成されている。ヘッド端部７自体は、マウスピースを形成するために凹状に湾曲した面３７を有しており、面３７の、先細りの細い側を形成する端部が、第１の破断予定部１７に隣接している。それによって、容器開口部９が開放された時に、貯蔵部５の中身の快適な経口投与が可能である。
【００２３】
図示する例では、ヘッド部１５に、凹部３１が工具としてそれぞれ設けられている。なお、ヘッド部１５の寸法によっては、２つ以上の凹部を設けることもできる。
【００２４】
なお、上記では、アンプルの形態の比較的小さな容積の容器に関する例を用いて本発明を説明したが、本発明は、同様に、他の種類の容器、例えば、一体に形成されたマスピースを備え、または備えない、飲料用の大容積の容器、あるいは他の種類の容器にも適用することができる。
【図面の簡単な説明】
【００２５】
【図１】本発明に基づく一実施形態の安全装置を備えた、アンプルの形態の、ブロー成形され互いにつながりあった６つのプラスチック容器を有するマルチブロックをほぼ実物大で示す正面図である。
【図２】図１の実施形態の側面図である。
【図３】図１の切断線ＩＩＩ−ＩＩＩと図６の切断線ＩＶ−ＩＶに沿った断面図である。
【図４】変形実施形態の安全装置を有する、アンプルの形態の、ブロー成形された個別のプラスチック容器を示す正面図である。
【図５】図４の切断線Ｖ−Ｖに沿った断面図である。
【図６】本発明に基づく安全装置の他の変形実施形態の、図４に相当する側面図である。
【図７】安全装置の他の変形実施形態の、図６に相当する正面図である。
【図８】図７の切断線ＶＩＩＩ−ＶＩＩＩに対応する断面図である。
【図９】他の変形実施形態に基づく、図１に相当する正面図である。
【図１０】図９の実施形態の側面図である。
【図１１】図９の切断線ＸＩ−ＸＩに対応する断面図である。
【図１】
2009532287.tif 000003
【図２】
2009532287.tif 000004
【図３】
2009532287.tif 000005
【図４】
2009532287.tif 000006
【図５】
2009532287.tif 000007
【図６】
2009532287.tif 000008
【図７】
2009532287.tif 000009
【図８】
2009532287.tif 000010
【図９】
2009532287.tif 000011
【図１０】
2009532287.tif 000012
【図１１】
2009532287.tif 000013
【国際調査報告】
2009532287.tif 000014
2009532287.tif 000015
2009532287.tif 000016
2009532287.tif 000017
2009532287.tif 000018
2009532287.tif 000019